(57)【特許請求の範囲】
【請求項１】
用紙を格納する複数の給紙トレイと、
前記給紙トレイと当該給紙トレイに格納されている用紙の紙目の情報とを対応付けて記憶する記憶部と、
ジョブに設定されている後処理モードにおける折り処理の情報と前記記憶部に記憶されている前記給紙トレイ毎に設定された紙目の情報とに基づいて、用紙の紙目が前記折り処理による折り目と平行になる用紙を格納する前記給紙トレイのいずれかを選択する制御部と、
を備えた画像形成装置。
【請求項２】
前記ジョブは、画像データと、当該画像データに基づく画像が形成される用紙に対する後処理モードの情報と、を含むページデータを有し、
前記制御部は、
前記ページデータの後処理モードにおける折り処理の情報と前記給紙トレイ毎に設定された紙目の情報とに基づいて、前記給紙トレイのいずれかを選択する、
請求項１に記載の画像形成装置。
【請求項３】
前記制御部は、
前記ページデータの後処理モードにおける折り処理の情報を基に、当該折り処理による用紙に対する折り目と平行に用紙の紙目を設定し、設定された当該紙目と一致する紙目の用紙が格納されている給紙トレイを検索し、一致する紙目の用紙が格納されている給紙トレイを、当該ページデータに基づいて画像が形成される用紙を給紙する給紙トレイとして選択する、
請求項２に記載の画像形成装置。
【請求項４】
前記制御部は、
ジョブに設定されている後処理モードが折り処理を含むモードである場合、
前記ページデータの画像データに基づく画像が形成される用紙のサイズ及び当該ページデータの後処理モードにおける前記折り処理による折り目の情報と、前記給紙トレイ毎に設定された用紙のサイズ及び紙目の情報とに基づいて、用紙サイズが一致し、かつ、用紙の紙目が前記折り処理による折り目と平行になる用紙を格納するいずれかの給紙トレイを当該ページデータに基づいて画像が形成される用紙を給紙する給紙トレイとして選択する、
請求項２又は３に記載の画像形成装置。
【請求項５】
前記給紙トレイに格納されている用紙の紙目の設定を受け付ける入力部を備え、
前記記憶部は、
前記入力部から入力された紙目を前記給紙トレイに対応付けて記憶する、
請求項１から４のいずれか一項に記載の画像形成装置。
【発明の詳細な説明】
【技術分野】
【０００１】
本発明は、画像形成装置に関する。
【背景技術】
【０００２】
近年、複写機やプリンタ等の画像形成装置により画像が形成される用紙は、用紙の製造過程上の条件によって、用紙の長手方向（又は短手方向）に対して用紙の漉き目方向又は繊維方向（以下、紙目）は一定であるものが多い。
【０００３】
用紙の紙目は、ユーザが一目で判別することは困難であるため、用紙のサイズに対応させて用紙の紙目の情報を記憶し、用紙のサイズの入力を受け、当該入力されたサイズに対応する紙眼の情報を用紙に形成する画像形成装置が開示されている（特許文献１参照）。
【特許文献１】特開平５−３２７９４８号公報
【発明の開示】
【発明が解決しようとする課題】
【０００４】
しかしながら、従来の技術では、紙目の情報を用紙のサイズに対応付けているため、同一のサイズであっても紙目が異なる用紙である場合には、対応することができない。
用紙は、紙目と直交する方向には曲がりにくく折り難く、平行方向には曲がりやすく折りやすい、という性質がある。従って、画像形成後に実行される後処理、例えば、製本処理が実行された場合、紙目を意識しないで作成された冊子は、開きにくかったり変形しやすかったりするという問題が生じる。
【０００５】
ＡＰＳ（自動用紙選択）機能、すなわち、用紙を自動的に選択する機能を有する画像形成装置や、ＡＴＳ（自動トレイ切替）機能、すなわち、画像形成実行中に用紙切れが発生した場合に給紙トレイを自動的に切り替える機能を有する画像形成装置があるが、このような機能を有する画像形成装置は、用紙の紙目を給紙する用紙の判断条件として考慮していないため、後処理に適さない紙目の用紙が給紙され、後処理後の用紙の品質が低下するという問題が生じる。
【０００６】
本発明の課題は、上記問題に鑑みて、後処理に適した紙目の用紙の選択を実現させ、後処理済み用紙の品質を確保することである。
【課題を解決するための手段】
【０００７】
請求項１に記載の発明によれば、用紙を格納する複数の給紙トレイと、前記給紙トレイと当該給紙トレイに格納されている用紙の紙目の情報とを対応付けて記憶する記憶部と、ジョブに設定されている後処理モードにおける折り処理の情報と前記記憶部に記憶されている前記給紙トレイ毎に設定された紙目の情報とに基づいて、用紙の紙目が前記折り処理による折り目と平行になる用紙を格納する前記給紙トレイのいずれかを選択する制御部と、を備えた画像形成装置が提供される。
【０００８】
請求項２に記載の発明によれば、請求項１に記載の画像形成装置において、前記ジョブは、画像データと、当該画像データに基づく画像が形成される用紙に対する後処理モードの情報と、を含むページデータを有し、前記制御部は、前記ページデータの後処理モードにおける折り処理の情報と前記給紙トレイ毎に設定された紙目の情報とに基づいて、前記給紙トレイのいずれかを選択する。
【０００９】
請求項３に記載の発明によれば、請求項２に記載の画像形成装置において、前記制御部は、前記ページデータの後処理モードにおける折り処理の情報を基に、当該折り処理による用紙に対する折り目と平行に用紙の紙目を設定し、設定された当該紙目と一致する紙目の用紙が格納されている給紙トレイを検索し、一致する紙目の用紙が格納されている給紙トレイを、当該ページデータに基づいて画像が形成される用紙を給紙する給紙トレイとして選択する。
【００１０】
請求項４に記載の発明によれば、請求項２又は３に記載の画像形成装置において、前記制御部は、ジョブに設定されている後処理モードが折り処理を含むモードである場合、前記ページデータの画像データに基づく画像が形成される用紙のサイズ及び当該ページデータの後処理モードにおける前記折り処理による折り目の情報と、前記給紙トレイ毎に設定された用紙のサイズ及び紙目の情報とに基づいて、用紙サイズが一致し、かつ、用紙の紙目が前記折り処理による折り目と平行になる用紙を格納するいずれかの給紙トレイを当該ページデータに基づいて画像が形成される用紙を給紙する給紙トレイとして選択する。
【００１１】
請求項５に記載の発明によれば、請求項１から４のいずれか一項に記載の画像形成装置において、前記給紙トレイに格納されている用紙の紙目の設定を受け付ける入力部を備え、前記記憶部は、前記入力部から入力された紙目を前記給紙トレイに対応付けて記憶する。
【発明の効果】
【００１２】
請求項１に記載の発明によれば、後処理モードにおける折り処理の情報と用紙が格納された給紙トレイ毎に設定された紙目とに基づいて、給紙する給紙トレイのいずれかを選択することができるため、後処理モードに適した紙目の用紙の選択を実現でき、後処理済み用紙の品質を確保することができる。
【００１３】
請求項２に記載の発明によれば、請求項１と同様の効果を得られるのは勿論のこと、各ページデータの画像データに基づく画像が形成される用紙に対する後処理モードにおける折り処理の情報と給紙トレイ毎に設定された紙目の情報とに基づいて、給紙する給紙トレイをページデータ毎に選択することができる。
【００１４】
請求項３に記載の発明によれば、請求項２と同様の効果を得られるのは勿論のこと、後処理モードにおける折り処理に基づいて当該後処理モードに適した紙目を設定することができ、設定された紙目と一致する紙目の用紙が格納されている給紙トレイから給紙させることができるため、紙目による後処理済み用紙の品質の低下を防止できる。
【００１５】
請求項４に記載の発明によれば、請求項２又は３と同様の効果を得られるのは勿論のこと、後処理モードが折り処理を含む場合には、ページデータの画像データに基づく画像が形成される用紙のサイズ及びページデータの後処理モードにおける前記折り処理による折り目の情報と、給紙トレイ毎に設定された用紙のサイズ及び紙目の情報とに基づいて、用紙を給紙する給紙トレイを選択することができるため、折り処理に適さない紙目の用紙を給紙することを防ぐことができる。
【００１６】
請求項５に記載の発明によれば、請求項１から４のいずれか一項と同様の効果を得られるのは勿論のこと、給紙トレイに格納されている用紙の紙目の設定を受け付けることができる。
【発明を実施するための最良の形態】
【００１７】
以下、図を参照して本発明の実施の形態を詳細に説明する。
まず、構成を説明する。
図１に、画像形成装置１の概略断面構成図を示す。
画像形成装置１は、原稿から画像を読み取り、読み取った画像を用紙Ｐに画像形成したり、外部装置等から画像データを含むジョブを受信し当該ジョブに基づいて画像を用紙Ｐ上に形成する画像形成部と、画像が形成された用紙に対して、ステイプル処理、折り処理、製本処理等の後処理を施す後処理部等を備えたデジタル複合機である。図１に示すように、画像形成装置１は、画像読取部２０、操作表示部３０、プリント部４０を備えた本体部１０と、後処理部５０と、を備えて構成される。
【００１８】
画像読取部２０は、ＡＤＦ（Auto Document Feeder）と称される自動原稿送り部２１と読取部２２とを備える。自動原稿送り部２１の原稿トレイＴ１に載置された原稿ｄは、読取部２２の読取個所であるコンタクトガラスに搬送され、読取部２２の光学系により原稿ｄの片面又は両面の画像が読み取られ、ＣＣＤ（Charge Coupled Device）２２ａにより原稿ｄの画像が読み取られる。ここで、画像とは、図形や写真等のイメージデータに限らず、文字や記号等のテキストデータ等も含む意である。
【００１９】
読取部２２により読み取られた画像（アナログ画像信号）は、後述する制御部に出力され、制御部においてＡ／Ｄ変換され各種画像処理が施された後、プリント部４０に出力される。
【００２０】
操作表示部３０は、ＬＣＤ（Liquid Crystal Display）、ＬＣＤを覆うように設けられたタッチパネル３１、その他図示しない操作キー群から構成され、ユーザの入力を受け付けその入力情報を制御部に出力し、また、制御部から入力される表示信号に従って、各種設定条件を入力するための各種設定画面や各種処理結果等を表示する。
【００２１】
本実施の形態における操作表示部３０のタッチパネル３１上には、画像形成装置１が備える各給紙トレイに格納される用紙の情報を設定する給紙トレイ設定画面Ｇ１が表示される。図２に、タッチパネル３１上に表示される給紙トレイ設定画面Ｇ１の例を示す。
【００２２】
図２に示すように、給紙トレイ設定画面Ｇ１には、当該画面よりも上位の画面（不図示）において選択された給紙トレイに対して、当該給紙トレイに格納される用紙の情報の設定を受け付ける画面であり、用紙種類設定ボタンＢ１、用紙名称設定ボタンＢ２、坪量設定ボタンＢ３、表裏調整ボタンＢ４、プロセス調整ボタンＢ５、速度設定ボタンＢ６、パンチ穴設定領域Ｅ１、色紙設定領域Ｅ２、紙目設定領域Ｅ３、ＯＫボタンＢ７等を有し、ＯＫボタンＢ７が押下されると、給紙トレイ設定画面Ｇ１上において設定された情報が制御部に出力され記憶される。
【００２３】
紙目設定領域Ｅ３は、給紙トレイに格納された用紙の紙目が縦目である設定を受け付ける縦目ボタンＢ３１と、横目である設定を受け付ける横目ボタンＢ３２を有し、給紙トレイに格納されている用紙の紙目（縦目又は横目）の設定を受け付ける入力部として機能する。
【００２４】
このように、紙目設定領域Ｅ３により、各給紙トレイに格納されている用紙の紙目の設定を受け付けることができる。
【００２５】
プリント部４０は、入力されたプリントデータに基づいて、電子写真方式の画像形成処理を行うものであり、給紙部４１、給紙搬送部４２、画像形成部４３、搬出部４４を備えて構成される。
【００２６】
給紙部４１は、複数の給紙トレイ４１ａ、給紙手段４１ｂ、手差しトレイＴ２等を備える。各給紙トレイ４１ａは、紙目やサイズ毎に予め識別された用紙Ｐが収容され、給紙手段４１ｂによって収容された用紙Ｐが最上部から一枚ずつ給紙搬送部４２に向けて搬送される。手差しトレイＴ２は、ユーザのニーズに合わせて様々な種類の用紙Ｐを積載可能となっており、給紙ローラによって積載された用紙Ｐが最上部から一枚ずつ給紙搬送部４２に向けて搬送される。また、各給紙トレイ４１ａ及び手差しトレイＴ２には、用紙が収容されたか否かを判別する用紙有無センサ、収容された用紙のサイズを検知するサイズ検知センサ等の各種センサが設けられており、当該センサからの検出信号は後述する制御部に出力され、制御部により検出信号に基づいて、用紙の有無や格納された用紙のサイズが決定される。
【００２７】
給紙搬送部４２は、給紙トレイ４１ａ又は手差しトレイＴ２から搬送された用紙Ｐを、複数の中間ローラ、レジストローラ４２ａ等を経て転写装置４３ａへと搬送する。また、給紙搬送部４２は、搬送路切換板により、片面画像形成処理済みの用紙Ｐを両面搬送路に搬送し、再び中間ローラ、レジストローラ４２ａを経て転写装置４３ａへと搬送する。
【００２８】
画像形成部４３は、感光体ドラム、帯電装置、画像データに基づくレーザ光を出力するレーザ出力部とレーザ光を主走査方向に走査させるポリゴンミラーとを有する露光装置、現像装置、転写装置４３ａ、クリーニング部、定着装置４３ｂを備えている。具体的には、帯電装置により帯電された感光体ドラムに露光装置でレーザ光を照射して静電潜像を形成する。そして、現像装置は、静電潜像が形成された感光体ドラムの表面に帯電したトナーを付着させて静電潜像を現像する。現像装置により感光体ドラム上に形成されたトナー像は、転写装置４３ａにおいて用紙Ｐに転写される。また、用紙Ｐにトナー像が転写された後、感光体ドラムの表面の残留トナー等は、クリーニング部により除去される。
【００２９】
定着装置４３ｂは、給紙搬送部４２によって搬送された用紙Ｐに転写されたトナー像を熱定着する。定着処理された用紙Ｐは、搬出部４４の排紙ローラに挟持されて搬出口から後処理部５０へ搬送される。
【００３０】
後処理部５０は、本体部１０から搬送された用紙の束に設定された綴じ位置で綴じるステイプル処理を行うステイプル部５１、搬送された用紙に折り処理を行う折り部５２、用紙の束に表紙を付加して冊子を生成する製本処理を行う製本部５３等の後処理ユニットを備え、本体部１０から指示された後処理モードに基づいて各種処理を実行する。各種処理が施された又は施されなかった用紙は、排紙トレイＴ３に排紙される。
【００３１】
後処理モードとしては、用紙の束を綴じる綴じモード、用紙を所定の形状に折る折りモード、用紙の束から冊子を生成する製本モード等を挙げることができる。
綴じモードは、用紙の束の背中部分を綴じる平綴じモード、用紙の中央を綴じ綴じた位置を折り曲げて見開き冊子を形成する中綴じモードが挙げられる。
折りモードは、用紙の長手方向に対して直交する方向に折る処理であり、折り形状の異なる各種モード、例えば、Ｚ折り、内３つ折り、外３つ折り、ダブルパラレル折り、中折り、観音折り、重ね３つ折り、重ね中折り等の各種モードが挙げられる。
製本モードは、用紙の束を生成する本身モード、用紙の束の背中部分を表紙となる用紙でくるんで表紙を付加する表紙モード等が挙げられる。
【００３２】
即ち、中綴じモード、折りモード、表紙モードが設定されているページデータの画像データに基づく画像が形成される用紙は、後処理部５０において、用紙の長手方向と直交する方向に折り目が付く折り処理が実行されることとなる。
【００３３】
図３に、画像形成装置１の制御ブロック図を示す。
図３に示すように、画像形成装置１は、本体部１０と、本体部１０に接続された後処理部５０から構成されている。また、画像形成装置１は、ネットワーク（不図示）上の外部装置と相互に情報の送受信が可能に接続されていてもよい。
【００３４】
本体部１０は、画像読取部２０、操作表示部３０、給紙部４１、給紙搬送部４２、画像形成部４３、制御部１００、記憶部１１０、通信部１２０等を備えて構成される。なお、図１で説明した各部と同一の構成には、同一の符号を付してその説明を省略する。
【００３５】
制御部１００は、ＣＰＵ（Central Processing Unit）等から構成され、記憶部１１０に格納されているシステムプログラム及び各種アプリケーションプログラムの中から指定されたプログラムを読み出して制御部１００内又は記憶部１１０内の展開領域に展開し、展開されたプログラムとの協働で、各種処理を実行し、画像形成装置１の各部を集中制御する。例えば、操作表示部３０や外部装置から入力される指示信号に従って、コピーモード、プリンタモード、スキャナモードを切り替え、複写、プリント、画像データの読取等の制御を行う。
【００３６】
制御部１００は、記憶部１１０から給紙トレイ情報設定処理プログラムと、各給紙トレイが備える各種センサから検出された検出信号と、給紙トレイ設定画面Ｇ１において設定された情報等とを読み出して、当該プログラム及び各種データとの協働により、給紙トレイ毎に対して、収容された用紙のサイズや紙目を含む各種設定情報を対応付けて記憶部１１０に記憶させる。
【００３７】
また、制御部１００は、記憶部１１０から本実施の形態に係る給紙処理プログラムと記憶部１１０から当該給紙処理プログラムの実行に必要なデータやジョブに関する各種データ等とを読み出して、当該プログラム及び各種データとの協働により、ジョブに設定されている後処理モードと記憶部１１０に記憶されている給紙トレイ毎に設定された紙目の情報とに基づいて、給紙トレイのいずれかを選択して用紙を給紙させる処理を制御する制御部としての機能を実現する。
【００３８】
本実施の形態におけるジョブは、複数のページデータを有しており、各ページデータには、画像データと当該画像データに基づく画像を形成する用紙の種類及びサイズの情報と当該画像データに基づく画像が形成される用紙に対する後処理モードの情報とが設定されている。
【００３９】
更に詳しくは、制御部１００は、給紙処理を実行する際、ページデータの後処理モードの情報に基づいて当該ページデータの画像データに基づく画像が形成される用紙の紙目を設定し、設定された当該紙目と一致する紙目の用紙が格納されている給紙トレイを、記憶部１１０に記憶されている紙目が設定された給紙トレイから検索し、当該ページデータに基づいて画像が形成される用紙を給紙する給紙トレイを選択する。
【００４０】
記憶部１１０は、磁気的、光学的記憶媒体若しくは半導体メモリで構成される電気的に消去及び書き換え可能な不揮発性の記憶媒体で構成されている。記憶部１１０としては、例えば、ＲＯＭ（Read Only Memory）及びＲＡＭ（Random Access Memory）の組合せ、ＨＤＤ（Hard Disk Drive）、ＥＥＰＲＯＭ（Electrically Erasable and Programmable ROM）やフラッシュメモリなどが挙げられる。
【００４１】
記憶部１１０は、画像形成装置１の各部の制御を行うための各種プログラムやデータ、本実施の形態における給紙トレイ情報設定処理プログラム、給紙処理プログラム、給紙トレイ毎に収容された用紙のサイズや紙目を含む各種設定情報が対応付けられたデータ、操作表示部３０や外部装置から受け付けられたジョブを記憶していると共に、これら各種プログラムやデータを展開させる一時記憶領域を有している。
【００４２】
通信部１２０は、モデム、ＴＡ（Terminal Adapter）やルータ等によって構成され、後処理部５０に搬出される用紙のデータや後処理の指示データを送信したり、後処理部５０から送信されるデータを受信し、後処理部５０との通信の制御を行う。
【００４３】
後処理部５０は、ステイプル部５１、折り部５２、製本部５３等の後処理ユニット、後処理制御部２００、記憶部２１０、通信部２２０等を備えて構成される。なお、図１で説明した各部と同一の構成には、同一の符号を付してその説明を省略する。
【００４４】
後処理制御部２００は、ＣＰＵ等から構成され、記憶部２１０に格納されているプログラムやデータを記憶部２１０の一時記憶領域（不図示）に展開し、当該プログラムに基づいて、本体部１０の制御部１００から通信部１２０及び通信部２２０を介して入力される後処理の指示データに応じて用紙を搬送経路に沿って所定の後処理ユニットに搬送し、各部を駆動制御して用紙に所定の後処理を行わせ、所定の排紙トレイに排出する制御を行う。
【００４５】
記憶部２１０は、後処理部５０の各部の制御を行うための各種プログラムやデータを記憶していると共に、これら各種プログラムやデータを展開させる一時記憶領域を有している。
【００４６】
通信部２２０は、モデム、ＴＡ（Terminal Adapter）やルータ等によって構成され、本体部１０との通信の制御を行う。
【００４７】
次に、本実施の形態の動作を説明する。
図４に、本実施の形態における給紙トレイ情報設定処理のフローチャートを示す。なお、図４に示すフローチャートは、制御部１００と記憶部１１０との協働によって実行される処理である。
【００４８】
制御部１００は、給紙トレイに設けられている用紙有無センサからの検出信号に基づいて、給紙トレイに用紙が格納されたか否かを判別し（ステップＳ１）、用紙が格納されていない場合（ステップＳ１；Ｎｏ）、ステップＳ１に戻る。
【００４９】
制御部１００は、給紙トレイに用紙が格納された場合（ステップＳ１；Ｙｅｓ）、サイズ検知センサからの検出信号に基づいて格納された用紙のサイズを決定する（ステップＳ２）。
【００５０】
制御部１００は、当該給紙トレイに対して給紙トレイ設定画面Ｇ１において設定された紙目を含む情報を記憶部１１０から読み出し（ステップＳ３）、決定された用紙のサイズと読み出した情報とを当該給紙トレイに対応付けて記憶部１１０に記憶させ（ステップＳ４）、本処理を終了する。
【００５１】
図５〜７に、本実施の形態における給紙処理のフローチャートを示す。
なお、図５〜７に示すフローチャートは、制御部１００と記憶部１１０との協働によって実行される処理である。
【００５２】
まず、図５に示した給紙処理のメインフローチャートを参照して説明する。
制御部１００は、ジョブが取得されると（ステップＳ１１）、取得されたジョブには後処理部５０が有する後処理ユニットによる後処理が実行される後処理モードが設定されているか否かを判別する（ステップＳ１２）。
【００５３】
制御部１００は、後処理モードが設定されている場合（ステップＳ１２；Ｙｅｓ）、設定されている後処理モードは、中綴じモード、折りモード又は製本モードのいずれかを含んでいるか否かを判別する（ステップＳ１３）。
【００５４】
制御部１００は、後処理モードは、中綴じモード、折りモード又は製本モードのいずれかを含んでいる場合（ステップＳ１３；Ｙｅｓ）、ページデータの画像データに基づく画像が形成される用紙のサイズ応じた用紙を自動的に選択する機能（ＡＰＳ；自動用紙選択機能）又は画像形成実行中に用紙切れが発生した場合に給紙トレイを自動的に切り替える機能（ＡＴＳ；自動トレイ切替機能）において、給紙する給紙トレイの選択判断条件として、ページデータの画像データに基づく画像が形成される用紙のサイズ及び紙目の情報を選択判断条件とするＡＰＳ／ＡＴＳ切替制限ありモードに設定し（ステップＳ１４）、ステップＳ１６に進む。
【００５５】
制御部１００は、後処理モードが設定されていない場合（ステップＳ１２；Ｎｏ）、又は、設定されている後処理モードは、中綴じモード、折りモード又は製本モードのいずれも含んでいない場合（ステップＳ１３；Ｎｏ）、ＡＰＳ又はＡＴＳおいて、給紙する給紙トレイの選択判断条件として、ページデータの画像データに基づく画像が形成される用紙のサイズの情報を選択判断条件とするＡＰＳ／ＡＴＳ切替制限なしモードに設定し（ステップＳ１５）、ステップＳ１６に進む。
【００５６】
制御部１００は、ＡＰＳ／ＡＴＳ切替制限ありモードが設定されているか否かを判別し（ステップＳ１６）、ＡＰＳ／ＡＴＳ切替制限ありモードが設定されている場合（ステップＳ１６；Ｙｅｓ）、当該ジョブの実行が開始されたか否かを判別し（ステップＳ１７）、ジョブの実行が開始されていない場合（ステップＳ１７；Ｎｏ）、ステップＳ１７に戻る。
【００５７】
制御部１００は、ジョブの実行が開始された場合（ステップＳ１７；Ｙｅｓ）、第１給紙トレイ選択処理を実行し（ステップＳ１８）、給紙可能な給紙トレイ（有効給紙トレイ）があるか否かを判別し（ステップＳ１９）、有効給紙トレイがない場合（ステップＳ１９；Ｎｏ）、本処理を終了する。
【００５８】
制御部１００は、有効給紙トレイがある場合（ステップＳ１９；Ｙｅｓ）、有効給紙トレイのうちいずれかの給紙トレイから用紙を給紙させ（ステップＳ２０）、ジョブの最終のページデータの画像データに基づく画像が形成される用紙の給紙が完了したか否かを判別し（ステップＳ２１）、ジョブの最終のページデータの画像データに基づく画像が形成される用紙の給紙が完了していない場合（ステップＳ２１；Ｎｏ）、ステップＳ１８に戻る。制御部１００は、ジョブの最終のページデータの画像データに基づく画像が形成される用紙の給紙が完了した場合（ステップＳ２１；Ｙｅｓ）、本処理を終了する。
【００５９】
制御部１００は、ＡＰＳ／ＡＴＳ切替制限ありモードが設定されていない場合、即ち、ＡＰＳ／ＡＴＳ切替制限なしモードが設定されている場合（ステップＳ１６；Ｎｏ）、当該ジョブの実行が開始されたか否かを判別し（ステップＳ２２）、ジョブの実行が開始されていない場合（ステップＳ２２；Ｎｏ）、ステップＳ２２に戻る。
【００６０】
制御部１００は、ジョブの実行が開始された場合（ステップＳ２２；Ｙｅｓ）、第２給紙トレイ選択処理を実行し（ステップＳ２３）、ステップＳ２４に進む。なお、ステップＳ２４からステップＳ２６は、ステップＳ１９からステップＳ２１と同様であるため、説明は省略する。
【００６１】
図６に、ステップＳ１８において実行される第１給紙トレイ選択処理のフローチャートを示し、説明する。
制御部１００は、ジョブに含まれる未実行のページデータのうちの所定のページデータ（例えば、識別番号が最も小さいページデータ）に設定されている用紙の種類、サイズ及び後処理モードの情報を取得し（ステップＳ３１）、取得した後処理モードが中綴じモード又は折りモードであるか否かを判別する（ステップＳ３２）。
【００６２】
制御部１００は、取得した後処理モードが中綴じモード又は折りモードでない場合（ステップＳ３２；Ｎｏ）、取得した後処理モードは製本モードか否かを判別する（ステップＳ３３）。
【００６３】
制御部１００は、取得した後処理モードが製本モードである場合（ステップＳ３３；Ｙｅｓ）、当該ページデータの画像データに基づく画像が形成される用紙の種類は表紙か否かを判別する（ステップＳ３４）。
【００６４】
制御部１００は、後処理モードが製本モードでない場合（ステップＳ３３；Ｎｏ）、又は当該ページデータの画像データに基づく画像が形成される用紙の種類が表紙でない場合（ステップＳ３４；Ｎｏ）、当該ページデータの画像データに基づく画像が形成される用紙の紙目を縦目に設定する（ステップＳ３５）。
【００６５】
制御部１００は、後処理モードが中綴じ又は折りモードである場合（ステップＳ３２；Ｙｅｓ）、又は、当該ページデータが形成される用紙の種類が表紙である場合（ステップＳ３４；Ｙｅｓ）、当該ページデータが形成される用紙の紙目を横目に設定する（ステップＳ３６）。
【００６６】
制御部１００は、記憶部１１０に記憶されている各給紙トレイに設定された情報（用紙のサイズ及び紙目）と、ステップＳ３１において取得した用紙のサイズとステップＳ３５又はステップＳ３６において設定した紙目、即ち、当該ページデータの画像データに基づく画像が形成される用紙のサイズ及び紙目とを比較し、当該サイズ及び紙目と一致するサイズ及び紙目の用紙が格納されている給紙トレイがあるか否かを判別する（ステップＳ３７）。
【００６７】
制御部１００は、当該ページデータの画像データに基づく画像が形成される用紙のサイズ及び紙目と一致するサイズ及び紙目の用紙が格納されている給紙トレイがある場合（ステップＳ３７；Ｙｅｓ）、一致する給紙トレイを給紙可能な給紙トレイ（有効給紙トレイ）として設定し、有効給紙トレイありとして設定し（ステップＳ３８）、本処理を終了する。
【００６８】
ステップＳ３７、３８により、後処理モードに基づいて当該後処理モードに適した紙目を設定することができ、設定された紙目と一致する紙目の用紙が格納されている給紙トレイから給紙させることができるため、紙目による後処理済み用紙の品質の低下を防止できる
【００６９】
制御部１００は、当該ページデータの画像データに基づく画像が形成される用紙のサイズ及び紙目と一致するサイズ及び紙目の用紙が格納されている給紙トレイがない場合（ステップＳ３７；Ｎｏ）、給紙可能な給紙トレイ（有効給紙トレイ）なしとして設定し（ステップＳ３９）、本処理を終了する。
【００７０】
図７に、ステップＳ２３において実行される第２給紙トレイ選択処理のフローチャートを示し、説明する。
制御部１００は、ジョブが有する未実行のページデータのうちの所定のページデータ（例えば、識別番号が最も小さいページデータ）に設定されている用紙のサイズを取得する（ステップＳ４１）。
【００７１】
制御部１００は、記憶部１１０に記憶されている各給紙トレイに設定された情報（用紙のサイズ）と、ステップＳ４１において取得した用紙のサイズ、即ち、当該ページデータの画像データに基づく画像が形成される用紙のサイズを比較し、当該サイズと一致するサイズの用紙が格納されている給紙トレイがあるか否かを判別する（ステップＳ４２）。
【００７２】
制御部１００は、当該ページデータの画像データに基づく画像が形成される用紙のサイズと一致するサイズの用紙が格納されている給紙トレイがある場合（ステップＳ４２；Ｙｅｓ）、一致する給紙トレイを給紙可能な給紙トレイ（有効給紙トレイ）として設定し、有効給紙トレイありとして設定し（ステップＳ４３）、本処理を終了する。
【００７３】
制御部１００は、当該ページデータの画像データに基づく画像が形成される用紙のサイズと一致するサイズの用紙が格納されている給紙トレイがない場合（ステップＳ４２；Ｎｏ）、給紙可能な給紙トレイ（有効給紙トレイ）なしとして設定し（ステップＳ４４）、本処理を終了する。
【００７４】
以上のように、本実施の形態によれば、各ページデータの画像データに基づく画像が形成される用紙に設定された後処理モードの情報と用紙が格納された給紙トレイ毎に設定された紙目の情報とに基づいて、給紙する給紙トレイを選択することができるため、給紙する給紙トレイをページデータ毎に選択することができ、用紙の長手方向と直交する方向に折る折り処理が実行される用紙として、用紙の長手方向と直交する方向の紙目である横目の用紙を給紙することができるため、折目と紙目とが平行となり、生成された冊子が開きにくかったり、折り跡が付きにくくなったり、変形しやすかったりするという問題が生じにくくなり、後処理モードに適した紙目の用紙の選択を実現でき、後処理済み用紙の品質を確保することができる。
【００７５】
また、後処理モードが折り処理を含む場合（本実施の形態においては、中綴じ、折り又は表紙モードの場合）には、ＡＰＳ／ＡＴＳが実行される際、ページデータの画像データに基づく画像が形成される用紙のサイズ及び後処理モードに基づいて判別された紙目と、給紙トレイ毎に設定された用紙のサイズ及び紙目とに基づいて、用紙を給紙する給紙トレイを選択するＡＰＳ／ＡＴＳ切替制限ありモードを実行することができるため、折り処理に適さない紙目の用紙を給紙することを防ぐことができる。なお、折り処理を含まない場合には、従来のＡＰＳ／ＡＴＳ処理を実行せることができるため、制御時間の短縮を図ることができる。
【００７６】
また、本発明は、上記実施の形態の内容に限定されるものではなく、本発明の主旨を逸脱しない範囲で適宜変更可能である。
【図面の簡単な説明】
【００７７】
【図１】画像形成装置の概略断面構成図である。
【図２】給紙トレイ設定画面の例を示す図である。
【図３】画像形成装置の制御ブロック図である。
【図４】給紙トレイ情報設定処理のフローチャートである。
【図５】給紙処理のメインフローチャートである。
【図６】第１給紙トレイ選択処理のフローチャートである。
【図７】第２給紙トレイ選択処理のフローチャートである。
【符号の説明】
【００７８】
１  画像形成装置
１０  本体部
２０  画像読取部
２１  自動原稿送り部
２２  読取部
２２ａ  ＣＣＤ
３０  操作表示部
３１  タッチパネル
４０  プリント部
４１  給紙部
４１ａ  給紙トレイ
４１ｂ  給紙手段
４２  給紙搬送部
４２ａ  レジストローラ
４３  画像形成部
４３ａ  転写装置
４３ｂ  定着装置
４４  搬出部
５０  後処理部
５１  ステイプル部
５２  折り部
５３  製本部
１００  制御部
１１０  記憶部
１２０  通信部
２００  後処理制御部
２１０  記憶部
２２０  通信部
Ｂ１  用紙種類設定ボタン
Ｂ２  用紙名称設定ボタン
Ｂ３  坪量設定ボタン
Ｂ４  表裏調整ボタン
Ｂ５  プロセス調整ボタン
Ｂ６  速度設定ボタン
Ｂ７  ＯＫボタン
Ｂ３１  縦目ボタン
Ｂ３２  横目ボタン
Ｅ１  パンチ穴設定領域
Ｅ２  色紙設定領域
Ｅ３  紙目設定領域
Ｇ１  給紙トレイ設定画面
Ｐ  用紙
Ｔ１  原稿トレイ
Ｔ２  手差しトレイ
Ｔ３  排紙トレイ
【図１】
0004433033.tif 000002
【図２】
0004433033.tif 000003
【図３】
0004433033.tif 000004
【図４】
0004433033.tif 000005
【図５】
0004433033.tif 000006
【図６】
0004433033.tif 000007
【図７】
0004433033.tif 000008